(57)【要約】      （修正有）【課題】収穫物を収容した重量のあるコンテナを積載した場合にも、地震による横揺れを受けた場合にも変形することがなく、荷崩れも防止できるので安全性と耐久性に優れており、しかも設備費を節減することができ、収納物が損傷する事態を回避できるので経済的損失を防止できるメッシュコンテナを提供する。【解決手段】架台２上に設けるコンテナ本体７は、底面パネルの４辺から起立する前面パネル９、後面パネル１１及び左右の側面パネル１２からなり、各パネルは棒鋼を縦横に結合してメッシュ状に形成してある。架台２の横幅方向両側端の角隅側に下向きに４個の積載用係合脚４が突設してある。積載用係合脚４の位置に対応して各側面パネル１２には下側補強材１４と上側補強材１５が夫々横設固着してあり、下側補強材１４と上側補強材１５に連結して縦補強材１６が側面パネル１２に固着してある。【選択図】図１
0003165541.tif 000002
【実用新案登録請求の範囲】
【請求項１】
四角形の架台上に設けた底面パネルの４辺から起立する前面パネル、後面パネル及び左右の側面パネルとからなり、該各パネルは棒鋼を縦横に結合してメッシュ状に形成したものであるコンテナ本体と、前記架台の横幅方向両側端の角隅側に下向きに突設した積載用係合脚とからなるメッシュコンテナであって、前記積載用係合脚の位置に対応して各側面パネルには下端側に下側補強材を、上端側に上側補強材を夫々横設固着し、該下側補強材と上側補強材に連結して縦補強材を前記側面パネルに固着してなるメッシュコンテナ。
【請求項２】
前記前面パネルは、下パネル部と上パネル部とから構成し、該上パネル部は下パネル部に対して上下方向に回動可能に連結したものであることを特徴とする請求項１記載のメッシュコンテナ。
【請求項３】
前記コンテナ本体は、前面パネル、後面パネル及び側面パネルを底面パネルに回動可能に連結することにより、該底面パネル側に折畳み可能に構成してあることを特徴とする請求項１記載のメッシュコンテナ。
【考案の詳細な説明】
【技術分野】
【０００１】
本考案は、野菜、豆類等の農産物を収納して保管し或いは搬送する場合に使用する所謂メッシュコンテナに関し、特に積載時の強度性に優れたメッシュコンテナに関する。
【背景技術】
【０００２】
近年、棒鋼を縦横に結合してメッシュ状に形成した５枚のパネルによって箱型に構成したメッシュコンテナが軽量で、通気性に優れていることから使用されるようになっている。また、底面パネルに対して前面、後面及び側面の各パネルを底面パネル上に折畳み可能に構成した折畳み型メッシュコンテナも使用されるようになっている。
【先行技術文献】
【特許文献】
【０００３】
【特許文献１】特に見出せず。
【考案の概要】
【考案が解決しようとする課題】
【０００４】
上記のように、メッシュコンテナを構成する底面、前面、後面及び左右側面の各パネルは棒鋼を縦横に結合してメッシュ状に形成したものであるため、縦方向の加重に対する強度性に問題があり、収穫物を収納した重量のあるメッシュコンテナを積載すると、下段のメッシュコンテナは荷重に耐えることができずに変形してしまうという問題がある。特に、上段のメッシュコンテナの積載用係合脚が乗る下段のメッシュコンテナの側面パネルの角隅側の変形が甚だしく、このために荷崩れしてしまうという問題がある。また、メッシュコンテナは地震による横揺れを受けた場合にも変形して使用できなくなるという欠点もある。そして、メッシュコンテナの変形や荷崩れの程度によっては、収穫物が損傷して商品にならなくなるという問題、メッシュコンテナの内袋が裂けて穀類等の収納物が流出するといった問題がある。
【０００５】
本考案は上述した従来技術の欠点や問題点に鑑みなされたもので、収穫物を収容した重量のあるコンテナを積載した場合にも、地震による横揺れにも変形することがないし、荷崩れも防止できるので安全性と耐久性に優れており、しかも設備費を節減することができるし、収納物が損傷する事態を回避できるので経済的損失を防止できるメッシュコンテナを提供することを目的とする。
【課題を解決するための手段】
【０００６】
上述した課題を解決するために構成した本考案の手段は、四角形の架台上に設けた底面パネルの４辺から起立する前面パネル、後面パネル及び左右の側面パネルからなり、該各パネルは棒鋼を縦横に結合してメッシュ状に形成したものであるコンテナ本体と、前記架台の横幅方向両側端の角隅側に下向きに突設した積載用係合脚とからなるメッシュコンテナであって、前記積載用係合脚の位置に対応して各側面パネルには下端側に下側補強材を、上端側に上側補強材を夫々横設固着し、該下側補強材と上側補強材に連結して縦補強材を前記側面パネルに固着したものからなる。
【０００７】
そして、前記前面パネルは、下パネル部と上パネル部とから構成し、該上パネル部は下パネル部に対して上下方向に回動可能に連結したものにするとよい。
【０００８】
また、前記コンテナ本体は、前面パネル、後面パネル及び側面パネルを底面パネルに回動可能に連結することにより、該底面パネル側に折畳み可能に構成するとよい。
【考案の効果】
【０００９】
本考案は、上述の如く構成したから下記の諸効果を奏する。
（１）メッシュコンテナは、積載用係合脚の位置に対応して各側面パネルに下側補強材と上側補強材を夫々横設固着し、下側補強材と上側補強材に連結して縦補強材を側面パネルに固着した構成にしたから、下段のメッシュコンテナは上段のメッシュコンテナの荷重を上側補強材、縦補強材、下側補強材によって支承することでコンテナ本体の変形を防止できるし、地震による横揺れに対する耐震性を有しており、荷崩れも防止できる。
（２）上記（１）の効果から、メッシュコンテナの変形や荷崩れによって収納物が損傷し、商品価値を失う事態を防止できる。
（３）前面パネルは、下パネル部と上パネル部とから構成し、上パネル部は下パネル部に対して上下方向に回動可能に連結したから、コンテナ本体への収納物の出し入れ作業を容易にかつ能率的に行うことができる。
（４）コンテナ本体は、前面パネル、後面パネル及び側面パネルを底面パネルに回動可能に連結することにより、底面パネル側に折畳み可能に構成したから、格納性、可搬性に優れている。
【図面の簡単な説明】
【００１０】
【図１】本考案の実施の形態に係るメッシュコンテナの構成説明図である。
【図２】メッシュコンテナの正面部分拡大図である。
【図３】メッシュコンテナの側面部分拡大図である。
【考案を実施するための形態】
【００１１】
以下、本考案の実施の形態を図面に基づき説明する。図において、１はメッシュコンテナを示す。２は該メッシュコンテナ１を構成し、フォークリフトのフォークが挿脱可能な四角形の架台である。３は該架台２を構成する鋼材からなる枠体で、該枠体３は前枠材３Ａ、後枠材３Ｂ（但し、図示せず。）、左右の側枠材３Ｃ、３Ｃを四角形に連結して構成してある。４、４、・・は該枠体３の側枠材３Ｃ、３Ｃの両端側に下向きに突設した積載用係合脚で、該積載用係合脚４、４間に下支持材５が架設してある。そして、両端の積載用係合脚４、４の間に位置して該下支持材５と枠体３にチャンネル材からなる２本の介装材６、６を固着することにより前後方向に配設してある。
【００１２】
ここで、積載用係合脚４は、下向きの凹湾曲面を有する倒置５字状の係合片４Ａと、前記枠体３に突設され、該係合片４Ａの端を支持する内側支持片４Ｂと、枠体３に突設され、係合片４Ａの上端を支持する中央支持片４Ｃと、後述するコンテナ本体の側面と係合片４Ａの先端に固着した縦長四角形の枠状をした外側支持材４Ｄとから構成してある。
【００１３】
７は架台２上に設けたコンテナ本体を示す。８は該コンテナ本体７を構成し、架台２上に固着した四角形の底面パネル、９は該底面パネル８の前縁に下側縁を回動可能に連結した前面パネルで、該前面パネル９は下パネル部９Ａと、該下パネル部９Ａの上端にコイル状の連結材１０により回動可能に連結した上パネル部９Ｂとから構成してある。
【００１４】
１１は底面パネル８の後縁に下側縁を回動可能に連結した後面パネル、１２、１２は底面パネル８の幅方向両端に下側縁を回動可能に連結した左右の側面パネルで、該各側面パネル１２は前記前面パネル９と幅方向両端縁を係止具１３、１３、・・により係脱自在に連結することにより、前面パネル８、後面パネル１１及び左右の側面パネル１２、１２は底面パネル８上に折畳み可能になっている。そして、上記各パネル８、９、１１、１２は棒鋼を縦横に結合してメッシュ状に形成することにより、コンテナ本体７の軽量化と通気性が図られている。
【００１５】
１４、１４はコンテナ本体７の下面に突設した積載用係合脚４、４、・・の位置に対応して各側面パネル１２の下端側に横設した棒鋼からなる下側補強材、１５は該下側補強材１４に対応して各側面パネル１２の上端側に横設した棒鋼からなる下部補強材で、該各下側補強材１４及び上側補強材１５は側面パネル１２に溶接手段によって固着してある。
【００１６】
１６、１６は下側補強材１４と上側補強材１５に連結して側面パネル１２に溶接により固着した２本の縦補強材で、該各縦補強材１６には側面パネル１２を構成する棒鋼と同じ棒鋼を用いている。
【００１７】
本実施の形態は上述の構成からなるもので、次にその作用について説明する。スペースに制約のある倉庫にメッシュコンテナ１を保管する場合、下段のメッシュコンテナ１の上に上段のメッシュコンテナ１を積載する。積載は、下段のメッシュコンテナ１の側面パネル１２の上端に上段のメッシュコンテナ１の積載用係合脚４、４、・・を上方から係合することにより行うが、これにより上段メッシュコンテナ１の重量は４個の積載用係合脚４に集中して下段のメッシュコンテナ１に掛る。
【００１８】
本実施の形態によるメッシュコンテナ１は、積載用係合脚４に対応して側面パネル１２に下側補強材１４、上側補強材１５及び縦補強材１６を設けた構成にしてあるから、上方から掛る荷重を受承する強度性を有し、かつ上方から掛る荷重は上側補強材１５、縦補強材１６、下側補強材１４及び積載用係合脚４を介して倉庫の床に伝えることにより、メッシュコンテナ１自体が変形し、或いは変形による荷崩れの事態を確実に防止することができる。
【００１９】
また、下側補強材１４、上側補強材１５及び縦補強材１６は側面パネル１２に固着してあるから、メッシュコンテナ１は地震による横揺れに対しても強度性を有しており、メッシュコンテナ１に積載してある上段のメッシュコンテナ１が落下して荷崩れする事態を防止できる。
【００２０】
本実施の形態では側面パネル１２に２本の縦補強材１６、１６を固着する構成にしたが、１本の帯板状の縦補強材を設けてもよいし、３本以上の縦補強材１６を設けてもよい。
【符号の説明】
【００２１】
１      メッシュコンテナ
２      架台
４      積載用係合脚
７      コンテナ本体
８      底面パネル
９      前面パネル
９Ａ    下パネル部
９Ｂ    上パネル部
１１    後面パネル
１２    側面パネル
１４    下側補強材
１５    上側補強材
１６    縦補強材
【図１】
0003165541.tif 000003
【図２】
0003165541.tif 000004
【図３】
0003165541.tif 000005